(57)【要約】【課題】復調回路から出力されるＴＳパケットを選別し、選別されたＴＳパケットを所定タイミングでバースト的に出力することによって、所望のコンテンツを出力する回路の負担を減らし、デジタル放送受信装置における消費電力を下げる。【解決手段】本発明は、受信したデジタル放送信号を復調して、ＭＰＥＧ-２で規定されているＴＳパケットを出力する復調回路Ａに関する。復調回路Ａは、デジタル放送信号を復調することによって得られたＴＳパケットの中から、ＴＳ選別情報により特定されるＴＳパケットを、復調回路Ａから出力すべきＴＳパケットとして選別するＴＳパケット選別部２２と、選別されたＴＳパケットを一時的に記憶するＴＳパケット記憶部２５と、所定のタイミングで、記憶されている１つ又は複数のＴＳパケットを出力する出力部とを具備する。【選択図】図２
2007266778.tif 000002
【特許請求の範囲】
【請求項１】
受信したデジタル放送信号を復調して、ストリームパケットを出力するように構成されている復調回路であって、
前記デジタル放送信号を復調することによって得られたストリームパケットの中から、ストリーム選別情報により特定されるストリームパケットを、前記復調回路から出力すべきストリームパケットとして選別するように構成されているストリームパケット選別部と、
前記ストリームパケット選別部により選別された前記ストリームパケットを一時的に記憶するように構成されているストリームパケット記憶部と、
所定のタイミングで、前記ストリームパケット記憶部に記憶されている１つ又は複数の前記ストリームパケットを出力するように構成されている出力部とを具備することを特徴とする復調回路。
【請求項２】
前記ストリーム選別情報は、特定のパケット識別子を有するストリームパケットを特定するパケット識別子選別情報を含み、
前記ストリームパケット選別部は、前記パケット識別子選別情報により特定されるストリームパケットのみを、前記復調回路から出力すべきストリームパケットとして選別するように構成されていることを特徴とする請求項１に記載の復調回路。
【請求項３】
前記ストリーム選別情報は、特定のパケット識別子を有するストリームパケットを特定するパケット識別子選別情報、及び、特定のセクションヘッダを有するセクションを構成するストリームパケットを特定するセクション選別情報を含み、
前記ストリームパケット選別部は、前記パケット識別子選別情報により特定されるストリームパケットで、かつ、前記セクション選別情報により特定されるストリームパケットのみを、前記復調回路から出力すべきストリームパケットとして選別するように構成されていることを特徴とする請求項１に記載の復調回路。
【請求項４】
前記出力部により出力された前記ストリームパケットにより構成されるセクションのバージョン情報を記憶するように構成されているバージョン情報記憶部を更に具備し、
前記出力部は、前記バージョン情報記憶部に記憶されているバージョン情報と同一のバージョン情報のセクションを構成するストリームパケットについて出力しないように構成されていることを特徴とする請求項３に記載の復調回路。
【請求項５】
前記出力部により出力された前記ストリームパケットにより構成されるセクションのバージョン情報を記憶するように構成されているバージョン情報記憶部を更に具備し、
前記バージョン情報記憶部に記憶されているバージョン情報と異なるバージョン情報のセクションを構成するストリームパケットが前記ストリームパケット記憶部に記憶された場合、前記出力部は、該ストリームパケットを即座に出力するように構成されていることを特徴とする請求項３に記載の復調回路。
【請求項６】
前記バージョン情報は、前記セクションの末尾に含まれているＣＲＣ符号であることを特徴とする請求項４又は５に記載の復調回路。
【請求項７】
前記出力部に対して、前記ストリームパケット記憶部に記憶されている１つ又は複数の前記ストリームパケットを、リアルタイムで出力するのか又はバースト的に出力するのかについて指示するように構成されているストリーム出力モード切替部を具備し、
前記出力部は、前記ストリーム出力モード切替部からの指示に応じて、前記ストリームパケット記憶部に記憶されている１つ又は複数の前記ストリームパケットを、リアルタイムで又はバースト的に出力するように構成されていることを特徴とする請求項１乃至３のいずれか一項に記載の復調回路。
【請求項８】
デジタル放送信号を受信して、音声データ、映像データ及びデータコンテンツを再生するように構成されているデジタル放送受信装置であって、
受信した前記デジタル放送信号を復調して、ＭＰＥＧ-２で規定されているストリームパケットを出力するように構成されている復調回路と、
前記復調回路から出力された前記ストリームパケットに含まれるパケット識別子に基づいて、前記音声データ、映像データ及びデータコンテンツを出力するように構成されている分離回路と、
前記復調回路に対して、前記デジタル放送信号を復調することによって得られたストリームパケットの中から、ストリーム選別情報により特定されるストリームパケットのみを出力するように指示するように構成されている制御部とを具備し、
前記復調回路から前記ストリームパケットが出力されない期間において、前記分離回路及び前記制御部は、省電力モードで動作するように構成されていることを特徴とするデジタル放送受信装置。
【発明の詳細な説明】
【技術分野】
【０００１】
本発明は、受信したデジタル放送信号を復調して、ＭＰＥＧ-２で規定されているストリームパケットを出力するように構成されている復調回路、及び、デジタル放送信号を受信して、音声データ、映像データ及びデータコンテンツを再生するように構成されているデジタル放送受信装置に関する。
【背景技術】
【０００２】
デジタル放送サービスでは、音声データ（音声コンテンツ）や映像データ（映像コンテンツ）だけでなく、文字データ（データコンテンツ）を送信することができる。具体的には、デジタル放送サービスにおいて、文字データとして、音声データや映像データに関連した情報の他、ニュースや天気予報といった音声データや映像データから独立した情報を送信することができる。
【０００３】
また、デジタル放送サービスでは、ダウンロード型サービスとして、音楽ファイルやゲームプログラム等のマルチメディアコンテンツを送信し、受信装置において、ダウンロードしたマルチメディアコンテンツを再生して楽しむことが可能である。
【０００４】
ところで、２００６年中にサービス開始予定の地上波デジタル放送サービスでは、ＭＰＥＧ（Ｍｏｖｉｎｇ  Ｐｉｃｔｕｒｅ  Ｃｏｄｉｎｇ  Ｅｘｐｅｒｔ  Ｇｒｏｕｐ）-２で規定されている１つのＴＳ（トランスポートストリーム）パケットに複数の番組を多重して送信することが想定されている。
【０００５】
第１に、図１０を参照して、かかる地上波デジタル放送サービスにおける伝送モデルの一例について説明する。
【０００６】
図１０に示すように、地上波デジタル放送サービスでは、物理チャネルとして、地上波デジタル放送サービス用に割り当てられているＶＨＦ７ｃｈの周波数帯が用いられる。
【０００７】
また、地上波デジタル放送サービスでは、かかる周波数帯において、トランスポートストリーム（ＴＳ）として、１つのセグメントを使用する１セグメント放送（１ｓｅｇＴＳ）と３つのセグメントを使用する３セグメント放送（３ｓｅｇＴＳ）とによって、合計８つのセグメントが連結して送信されている。
【０００８】
ここで、ＮＩＴ（Ｎｅｔｗｏｒｋ  Ｉｎｆｏｒｍａｔｉｏｎ  Ｔａｂｌｅ）は、周波数等の伝送路情報とサービス（番組）情報とを関連付ける情報を伝送するものである。すなわち、ＮＩＴは、どの編成チャネル（サービス（番組））が、どのキャリア（伝送路）に含まれているかについて指定するものである。
【０００９】
なお、ＮＩＴには、地上波デジタル放送サービスにおける１つのＴＳに含まれる全ての編成チャネルＩＤ（サービスＩＤ（番号ＩＤ））が記載されている。
【００１０】
また、ＰＭＴ（Ｐｒｏｇｒａｍ  Ｍａｐ  Ｔａｂｌｅ）は、各サービス（番組）の構成要素（コンポーネント）を伝送するＴＳパケットのパケット識別子（ＰＩＤ）を指定するものであり、編成チャネル分（サービス分（番組分））だけ配置される。ここで、コンポーネントしては、図１０に示すように、映像コンテンツや音声コンテンツやデータコンテンツが想定される。
【００１１】
なお、図１０の例では、１つのＴＳに、３つのサービス（番組）が多重されていることが分かる。
【００１２】
第２に、図１１を参照して、データコンテンツを伝送するデータカルーセル伝送方式の概要について説明する。
【００１３】
図１１に示すように、データコンテンツは、モジュール単位で伝送される。なお、各モジュールは、複数のブロックに分割される。ここで、モジュール末尾のブロック以外の全ブロックは、同じサイズである。
【００１４】
また、各ブロックは、それぞれに対してブロックヘッダが付加されて、ＤＤＢ（Ｄｏｗｎｌｏａｄ  Ｄａｔａ  Ｂｌｏｃｋ）メッセージと呼ばれる単位を構成する。
【００１５】
かかるＤＤＢメッセージに対してセクションヘッダ及びＣＲＣ用のデータが付加されて、セクションと呼ばれる単位を構成する。ここで、セクションは、ＴＳに多重するために共通の大きさのデータに分割される。この分割されたデータが、ＴＳパケットのペイロードとなる。
【００１６】
データカルーセル方式は、ＤＤＢメッセージ及びＤＩＩ（Ｄｏｗｎｌｏａｄ  Ｉｎｆｏｒｍａｔｉｏｎ  Ｉｎｄｉｃａｔｉｏｎ）メッセージを、カルーセルと呼ばれる仮想的な回転体に配置して、カルーセルの回転に基づいて繰り返し伝送するというものである。
【００１７】
各ＤＤＢメッセージには、ブロック番号が割り当てられており、受信装置は、かかるブロック番号順に、ブロックデータを並べることにより、モジュールを再構成する。
【００１８】
また、ＤＩＩメッセージは、当該データカルーセル方式で伝送されるモジュールについての情報（モジュールのサイズやバージョン情報等）を伝送するものである。
【００１９】
なお、モジュールの増減や更新が発生した場合に、ＤＩＩメッセージが更新されるため、ＤＩＩメッセージを常時監視して、当該ＤＩＩメッセージの更新を検知することにより、当該データカルーセル方式によって伝送されているモジュールに変化があったことを知ることができる。
【００２０】
ここで、図１に、一般的なデジタル放送受信装置の構成を示す。図１に示すように、かかるデジタル放送受信装置Ａは、チューナ１と、復調回路２と、ＴＳデコード処理部３と、音声デコード処理部４と、映像デコード処理部５と、提示処理部６と、ブラウザ要求処理部７と、ブラウザ８と、ＲＡＭ９と、ＣＰＵ１０とを含む。
【００２１】
ここで、ＴＳデコード処理部３と音声デコード処理部４と映像デコード処理部５とブラウザ要求処理部７とが、回路Ｂを構成する。
【００２２】
チューナ１は、デジタル放送信号を受信して、ＲＦ（Ｒａｄｉｏ  Ｆｒｅｑｕｅｎｃｙ）帯からベースバンド帯への周波数変換を行い、ベースバンド信号を復調回路２へ出力するように構成されている。
【００２３】
復調回路２は、受信したベースバンド信号を復調して得られた復調信号から複数個のＴＳパケットを抽出するように構成されている。また、復調回路２は、ＴＳパケットに対してエラー検出処理を行い、エラーを検出した場合には、ＴＳパケット内のパケットヘッダのトランスポートエラーインジケータ（図３（ａ）参照）にエラーを示す情報を挿入するように構成されている。
【００２４】
ここで、復調回路２は、リアルタイムで、復調されたＴＳパケットを出力するように構成されている。なお、本明細書では、１つのＴＳパケットの復調が完了する都度、当該ＴＳパケットを出力することを、復調されたＴＳパケットをリアルタイムで出力すると定義することとする。一方、１つのＴＳパケットの復調が完了する都度ではなく、所定のタイミングで、復調されたＴＳパケットを出力することを、バースト的に出力すると定義することとする。
【００２５】
ＴＳデコード処理部３は、ＴＳパケットを受けて、パケットヘッダのＰＩＤに基づいて、音声コンテンツに対応するＴＳパケット（音声ＴＳパケット）、映像コンテンツに対応するＴＳパケット（映像ＴＳパケット）及びデータコンテンツに対応するＴＳパケット（データＴＳパケット）を識別するように構成されている。
【００２６】
そして、ＴＳデコード処理部３は、音声ＴＳパケットを音声デコード処理部４へ出力し、映像ＴＳパケットを映像デコード処理部５へ出力するように構成されている。また、ＴＳデコード処理部３は、複数個のデータＴＳパケットから、モジュールを生成し、ブラウザ要求処理部７へ出力するように構成されている。
【００２７】
音声デコード処理部４は、音声ＴＳパケットを受けて、符号化方式に対応した復号処理を行い、音声データを生成して外部へ出力するように構成されている。
【００２８】
映像デコード処理部５は、映像ＴＳパケットを受けて、符号化方式に対応した復号処理を行い、映像データを生成して提示処理部６へ出力するように構成されている。
【００２９】
ブラウザ要求処理部７は、ＴＳデコード処理部３からモジュールを受けて、ブラウザ８から要求されたモジュールをブラウザ８に出力するように構成されている。ここで、ブラウザ８は、システムバスを介してブラウザ要求処理部７へ制御信号を出力することにより、必要なモジュールを、ブラウザ要求処理部７へ通知するように構成されている。
【００３０】
ブラウザ８は、ブラウザ要求処理部７からモジュールを受けて、モジュールからデータコンテンツ、すなわち、ＢＭＬ文書及び画像データを抽出するように構成されている。そして、ブラウザ８は、これらのレイアウトを行い、提示処理部６へ出力するように構成されている。
【００３１】
提示処理部６は、レイアウトされたデータコンテンツ及び映像デコード処理部５から受けた映像データを合成した提示画面を生成して外部へ出力するように構成されている。
【００３２】
ＲＡＭ９は、ＣＰＵ１０が行う制御に必要なデータを保存するように構成されている。ＣＰＵ１０は、システムバスを介して各機能ブロックに対して種々の制御を行うように構成されている。
【特許文献１】特開２００６-４２２７５号公報
【非特許文献１】ＡＲＩＢ  ＴＲ-Ｂ１３  地上デジタル音声放送運用規定
【発明の開示】
【発明が解決しようとする課題】
【００３３】
しかしながら、従来のデジタル放送受信装置では、復調回路２からは、当該復調回路２によって復調されたＴＳパケットがそのまま出力される。したがって、デジタル放送受信装置が、かかるＴＳパケットに多重されている１つの番組に係るコンテンツ（音声コンテンツや映像コンテンツやデータコンテンツ等）だけを必要とする場合であっても、復調回路２から全てのＴＳパケットが出力されるため、回路Ｂにおいて必要なコンテンツのみを選別しなければならないため、回路Ｂの負担が増加し、デジタル放送受信装置における消費電力が上昇するという問題点があった。
【００３４】
そこで、本発明は、以上の点に鑑みてなされたもので、復調回路から出力されるＴＳパケットを選別し、選別されたＴＳパケットを所定タイミングでバースト的に出力することによって、所望のコンテンツを出力する回路（回路Ｂ）の負担を減らし、デジタル放送受信装置における消費電力を下げることができる復調回路及びデジタル放送受信装置を提供することを目的とする。
【課題を解決するための手段】
【００３５】
本発明の第１の特徴は、受信したデジタル放送信号を復調して、ストリームパケットを出力するように構成されている復調回路であって、前記デジタル放送信号を復調することによって得られたストリームパケットの中から、ストリーム選別情報により特定されるストリームパケットを、前記復調回路から出力すべきストリームパケットとして選別するように構成されているストリームパケット選別部と、前記ストリームパケット選別部により選別された前記ストリームパケットを一時的に記憶するように構成されているストリームパケット記憶部と、所定のタイミングで、前記ストリームパケット記憶部に記憶されている１つ又は複数の前記ストリームパケットを出力するように構成されている出力部とを具備することを要旨とする。
【００３６】
かかる発明によれば、ストリームパケット選別部により選別されたストリームパケットが、リアルタイムに、すなわち、復調される都度ではなく、所定のタイミングでバースト的に出力されるように構成されているので、所望のコンテンツを出力する回路の負担を低減することができ、デジタル放送受信装置における消費電力を下げることができる。
【００３７】
本発明の第１の特徴において、前記ストリーム選別情報が、特定のパケット識別子を有するストリームパケットを特定するパケット識別子選別情報を含み、前記ストリームパケット選別部が、前記パケット識別子選別情報により特定されるストリームパケットのみを、前記復調回路から出力すべきストリームパケットとして選別するように構成されていてもよい。
【００３８】
本発明の第１の特徴において、前記ストリーム選別情報が、特定のパケット識別子を有するストリームパケットを特定するパケット識別子選別情報、及び、特定のセクションヘッダを有するセクションを構成するストリームパケットを特定するセクション選別情報を含み、前記ストリームパケット選別部が、前記パケット識別子選別情報により特定されるストリームパケットで、かつ、前記セクション選別情報により特定されるストリームパケットのみを、前記復調回路から出力すべきストリームパケットとして選別するように構成されていてもよい。
【００３９】
本発明の第１の特徴において、前記出力部により出力された前記ストリームパケットにより構成されるセクションのバージョン情報を記憶するように構成されているバージョン情報記憶部を更に具備し、前記出力部が、前記バージョン情報記憶部に記憶されているバージョン情報と同一のバージョン情報のセクションを構成するストリームパケットについて出力しないように構成されていてもよい。
【００４０】
本発明の第１の特徴において、前記出力部により出力された前記ストリームパケットにより構成されるセクションのバージョン情報を記憶するように構成されているバージョン情報記憶部を更に具備し、前記バージョン情報記憶部に記憶されているバージョン情報と異なるバージョン情報のセクションを構成するストリームパケットが前記ストリームパケット記憶部に記憶された場合、前記出力部が、該ストリームパケットを即座に出力するように構成されていてもよい。
【００４１】
本発明の第１の特徴において、前記バージョン情報が、前記セクションの末尾に含まれているＣＲＣ符号であってもよい。
【００４２】
本発明の第１の特徴において、前記出力部に対して、前記ストリームパケット記憶部に記憶されている１つ又は複数の前記ストリームパケットを、リアルタイムで出力するのか又はバースト的に出力するのかについて指示するように構成されているストリーム出力モード切替部を具備し、前記出力部が、前記ストリーム出力モード切替部からの指示に応じて、前記ストリームパケット記憶部に記憶されている１つ又は複数の前記ストリームパケットを、リアルタイムで又はバースト的に出力するように構成されていてもよい。
【００４３】
かかる発明によれば、出力部が、ストリームパケット選別部により選別されたストリームパケットをバースト的に出力するため、リアルタイムに、すなわち、短い間隔で次々とストリームパケットが出力されることにより、所望のコンテンツを出力する回路の負担が増加するという事態を回避することができる。
【００４４】
本発明の第２の特徴は、デジタル放送信号を受信して、音声データ、映像データ及びデータコンテンツを再生するように構成されているデジタル放送受信装置であって、受信した前記デジタル放送信号を復調して、ＭＰＥＧ-２で規定されているストリームパケットを出力するように構成されている復調回路と、前記復調回路から出力された前記ストリームパケットに含まれるパケット識別子に基づいて、前記音声データ、映像データ及びデータコンテンツを出力するように構成されている分離回路と、前記復調回路に対して、前記デジタル放送信号を復調することによって得られたストリームパケットの中から、ストリーム選別情報により特定されるストリームパケットのみを出力するように指示するように構成されている制御部とを具備し、前記復調回路から前記ストリームパケットが出力されない期間において、前記分離回路及び前記制御部が、省電力モードで動作するように構成されていることを要旨とする。
【００４５】
かかる発明によれば、復調回路から前記ストリームパケットが出力されない期間では、所望のコンテンツを出力する回路及び制御部が省電力モードで動作するため、デジタル放送受信装置の消費電力を下げることができる。
【発明の効果】
【００４６】
以上説明したように、本発明によれば、復調回路から出力されるストリームパケットを選別し、選別されたストリームパケットを所定タイミングでバースト的に出力することによって、所望のコンテンツを出力する回路の負担を減らし、デジタル放送受信装置における消費電力を下げることができる復調回路及びデジタル放送受信装置を提供することができる。
【発明を実施するための最良の形態】
【００４７】
（本発明の第１の実施形態に係るデジタル放送受信装置の構成）
図１乃至図３を参照して、本発明の第１の実施形態に係るデジタル放送受信装置Ａの構成について説明する。図１に、本実施形態に係るデジタル放送受信装置Ａの構成について示す。
【００４８】
本実施形態に係るデジタル放送受信装置Ａは、デジタル放送信号を受信して、音声データ、映像データ及びデータコンテンツを再生するように構成されている。
【００４９】
また、本実施形態に係るデジタル放送受信装置Ａは、受信したデジタル放送信号を復調してストリームパケットを出力するように構成されている復調回路２と、復調回路２から出力されたストリームパケットに含まれるパケット識別子（ＰＩＤ）に基づいて、音声データ、映像データ及びデータコンテンツを出力するように構成されている回路Ｂと、復調回路２に対して、デジタル放送信号を復調することによって得られたストリームパケットの中から、ストリーム選別情報により特定されるストリームパケットのみを出力するように指示するように構成されているＣＰＵ（制御部）９とを具備している。
【００５０】
以下、本実施形態では、ストリームパケットとして、ＭＰＥＧ-２で規定されているＴＳパケットが用いられている例について説明するが、本発明は、かかる例に限定されるものではなく、パケット識別子を有しており、図１１に示すようにセクションが分割されることによって形成される任意の形式のストリームが用いられる例に対して適用可能である。
【００５１】
また、本実施形態に係るデジタル放送受信装置Ａでは、復調回路２からＴＳパケットが出力されない期間において、回路Ｂ及びＣＰＵ９は、省電力モードで動作するように構成されている。
【００５２】
なお、本実施形態に係るデジタル放送受信装置Ａの構成は、上述の復調回路２や回路ＢやＣＰＵの機能を除いて、従来のデジタル放送受信装置の構成と同様である。
【００５３】
図２に示すように、復調回路２は、ＯＦＤＭ復調部２１と、ＴＳパケット選別部２２と、ＴＳ選別情報記憶部２３と、ＴＳ出力モード切替部２４と、ＴＳパケット記憶部２５と、バージョン情報記憶部２６と、出力部２７とを具備している。
【００５４】
本実施形態では、復調回路２は、ＬＳＩ（Ｌａｒｇｅ  Ｓｃａｌｅ  Ｉｎｔｅｇｒａｔｉｏｎ）によって構成されている。また、本実施形態では、ＴＳデコード処理部３は、ソフトウエアで構成されていてもよいし、ハードウエアで構成されていてもよい。
【００５５】
ＯＦＤＭ復調部２１は、チューナ１からＯＦＤＭ方式で変調されているベースバンド信号を受信し、かかるベースバンド信号を復調してＴＳパケットを出力するように構成されている。
【００５６】
ここで、ＭＰＥＧ２  Ｓｙｓｔｅｍｓ（ＩＳＯ／ＩＥＣ  １３８１８-１）規格で規定されているＴＳパケットは、図３（ａ）に示すように、１８８バイトの固定長であり、４バイトのパケットヘッダと、トランスポートストリームに関する付加情報を伝送するためのアダプテーションフィールドおよび/またはペイロードとによって構成されている。
【００５７】
また、アダプテーションフィールドおよび/またはペイロードは、いずれか一方だけがＴＳパケットの構成要素となる場合もある。
【００５８】
また、図３（ａ）に示すように、かかるＴＳパケットは、当該ＴＳパケットの先頭を示す同期バイト（８ビット）と、当該ＴＳパケット中のエラーの有無を示すトランスポートエラーインジケータ（１ビット）と、新たなＴＳパケットのペイロードが開始することを示すペイロードユニット開始インジケータ（１ビット）と、当該ＴＳパケットの重要度を示すトランスポート優先度（１ビット）と、当該ＴＳパケットを識別するためのパケット識別子（ＰＩＤ、１３ビット）と、ペイロードのスクランブルの有無を示すトランスポートスクランブル制御（２ビット）と、アダプテーションフィールドの有無および/またはペイロードの有無を示すアダプテーションフィールド制御（２ビット）と、同じＰＩＤを持つパケットが途中で一部棄却されたか否かについて検出するための巡回カウンタ（０〜１５）である連続性指標（４ビット）とからなるパケットヘッダと、上述のアダプテーションフィールドおよび／またはペイロードとからなる。
【００５９】
また、図３（ｂ）に、ＭＰＥＧ２  Ｓｙｓｔｅｍｓ（ＩＳＯ／ＩＥＣ  １３８１８-１）規格で規定されているセクションの詳細な構造を示す。
【００６０】
図３（ｂ）に示すように、セクションは、当該セクションが属するテーブルを定義するテーブル識別子と、当該セクションのシンタックスを指示するセクションシンタックス指示と、本フィールドの直後から当該セクションの最後までのバイト数を示すセクション長と、サブテーブルを定義するために使用されるテーブル識別拡張と、当該セクションのバージョンを示すバージョン番号と、当該セクションが現バージョンのものであるか或いは次バージョンのものであるかを指示するカレントネクスト指示と、サブテーブル中での最終のセクション番号を示す最終セクション番号とを含むセクションヘッダと、本体部分であるデータと、当該セクションのＣＲＣ（Ｃｙｃｌｉｃ  Ｒｅｄｕｎｄａｎｃｙ  Ｃｏｄｅ）値を示すＣＲＣとによって構成されている。
【００６１】
ＴＳパケット選別部２２は、ベースバンド信号（デジタル放送信号）を復調することによって得られたＴＳパケットの中から、ＴＳ選別情報により特定されるＴＳパケットを、復調回路２から出力すべきＴＳパケットとして選別するように構成されている。
【００６２】
具体的には、ＴＳパケット選別部２２は、「ＰＩＤ選別情報」により特定されるＴＳパケットのみを、当該復調回路２から出力すべきＴＳパケットとして選別するように構成されていてもよい。ここで、「ＰＩＤ選別情報」は、特定のＰＩＤを有するＴＳパケットを特定するＴＳ選別情報の一種である。
【００６３】
また、ＴＳパケット選別部２２は、「ＰＩＤ選別情報」により特定されるＴＳパケットで、かつ、「セクション選別情報」により特定されるＴＳパケットのみを、当該復調回路２から出力すべきＴＳパケットとして選別するように構成されていてもよい。ここで、「セクション選別情報」は、特定のセクションヘッダを有するセクションを構成するＴＳパケットを特定するＴＳ選別情報の一種である。例えば、「セクション選別情報」は、特定のテーブル識別子やテーブル識別拡張等の組み合わせを有するセクションを構成するＴＳパケットを特定するＴＳ選別情報であってもよい。
【００６４】
ＴＳ選別情報記憶部２３は、ＣＰＵ１０からの指定に基づいて、ＴＳ選別情報を記憶するように構成されている。
【００６５】
ＴＳ出力モード切替部２４は、出力部２７に対して、ＴＳパケット記憶部２５に記憶されている１つ又は複数のＴＳパケットを、リアルタイムで出力するのか又はバースト的に出力するのかについて指示するように構成されている。
【００６６】
ＴＳパケット記憶部２５は、ＴＳパケット選別部２２により選別されたＴＳパケットを一時的に記憶するように構成されている。例えば、ＴＳパケット記憶部２５は、復調回路２内のＲＡＭによって構成されていてもよい。
【００６７】
バージョン情報記憶部２６は、出力部２７により出力されたＴＳパケットにより構成されるセクションのバージョン情報を記憶するように構成されている。
【００６８】
ここで、バージョン情報は、セクションにおけるセクションヘッダ内のバージョン番号によって規定されていてもよいし、セクションの末尾に含まれているＣＲＣ符号であってもよい。
【００６９】
出力部２７は、所定のタイミングで、ＴＳパケット記憶部２５に記憶されている１つ又は複数のＴＳパケットを出力するように構成されている。
【００７０】
なお、出力部２７は、所定のタイミングとして、所定の時間間隔で、ＴＳパケット記憶部２５に記憶されているＴＳパケットを出力するように構成されていてもよい。
【００７１】
また、出力部２７は、所定のタイミングとして、ＴＳパケット記憶部２５に記憶されているＴＳパケット数が所定数を越えた場合に、ＴＳパケット記憶部２５に記憶されているＴＳパケットを出力するように構成されていてもよい。
【００７２】
また、出力部２７は、所定のタイミングとして、ＴＳパケット記憶部２５に記憶されているＴＳパケットによって１つのセクションが完成された場合に、ＴＳパケット記憶部２５に記憶されているＴＳパケットを出力するように構成されていてもよい。
【００７３】
ここで、出力部２７は、上述の場合であっても、バージョン情報記憶部２６に記憶されているバージョン情報と同一のバージョン情報のセクションを構成するＴＳパケットについて出力しないように構成されている。
【００７４】
一方、バージョン情報記憶部２６に記憶されているバージョン情報と異なるバージョン情報のセクションを構成するＴＳパケットがＴＳパケット記憶部２５に記憶された場合には、出力部２７は、当該ＴＳパケットを即座に出力するように構成されている。
【００７５】
また、出力部２７は、ＴＳ出力モード切替部２４からの指示に応じて、ＴＳパケット記憶部２５に記憶されている１つ又は複数のＴＳパケットを、リアルタイムで又はバースト的に出力するように構成されている。
【００７６】
（本発明の第１の実施形態に係るデジタル放送受信装置の動作）
図４乃至図９を参照して、本発明の第１の実施形態に係るデジタル放送受信装置の動作について説明する。
【００７７】
以下、上述したセクションの一種として「ＤＳＭ-ＣＣセクション」が用いられている例について説明する。  第１に、図４及び図５を参照して、本発明の第１の実施形態に係るデジタル放送受信装置の復調回路２がＴＳパケットを出力する第１の動作について説明する。第１の動作では、復調回路２から出力されるＴＳパケットは、「ＰＩＤ＝Ｘ」を有するＴＳパケットを特定する「ＰＩＤ選別情報」のみによって選別されるものとする。
【００７８】
すなわち、ＣＰＵ１０が、ユーザの番組選択に係る入力処理に基づいて、ＴＳ選別情報記憶部２３に、ＴＳ選別情報として、「ＰＩＤ＝Ｘ」を有するＴＳパケットを特定する「ＰＩＤ選別情報」を記憶しているものとする。
【００７９】
図４に示すように、ステップＳ１０１において、ＴＳパケット選別部２２は、復調回路２から前回ＴＳパケットを出力してから所定時間が経過しているか否かについて判定する。所定時間が経過していないと判定された場合、本動作は、ステップＳ１０２に進み、所定時間が経過していると判定された場合、本動作は、ステップＳ１０６に進む。
【００８０】
ＴＳパケット選別部２２は、ステップＳ１０２において、ＯＦＤＭ復調部２１によって復調されたＴＳパケットを１つ取得し、ステップＳ１０３において、取得したＴＳパケットがＰＩＤ識別情報により特定されるＴＳパケットに合致する、すなわち、取得したＴＳパケットのＰＩＤが「Ｘ」であるか否かについて判定する。
【００８１】
図５の例では、ＯＦＤＭ復調部２１は、デジタル放送信号を復調することによってＴＳパケット「Ｘ-Ａ-１-１」乃至「Ｙ-Ａ-２-２」を順次出力している。ここで、１番目の値（例えば、Ｘ、Ｙ）は、当該ＴＳパケットの「ＰＩＤ」であり、２番目の値（例えば、Ａ、Ｂ）は、当該ＴＳパケットが構成するＤＳＭ-ＣＣセクションの「セクション識別情報（例えば、テーブル識別子）」であり、３番目の値（例えば、１、２）は、当該ＴＳパケットのＤＳＭ-ＣＣセクションにおける「パケット番号」であり、４番目の値（例えば、１、２）は、当該ＤＳＭ-ＣＣセクションの「バージョン情報」である。  合致すると判定された場合、本動作は、ステップＳ１０４に進み、合致しないと判定された場合、本動作は、ステップＳ１０１に戻る。
【００８２】
ステップＳ１０４において、ＴＳパケット選別部２２は、ＰＩＤ識別情報により特定されるＴＳパケットに合致すると判定したＴＳパケットをＴＳパケット記憶部２５に一時的に記憶する。
【００８３】
図５の例では、ＰＩＤ識別情報に基づいて選別されたＴＳパケット、すなわち、「ＰＩＤ＝Ｘ」であるＴＳパケット（例えば、「Ｘ-Ａ-１-１」等）が、ＴＳパケット記憶部２５に一時的に記憶されている。
【００８４】
ステップＳ１０５において、出力部２７は、ＴＳパケット記憶部２５に一時的に記憶されているＴＳパケットの数が所定数を超えたか否かについて判定する。超えたと判定された場合、本動作は、ステップＳ１０６に進み、超えていないと判定された場合、本動作は、ステップＳ１０１に戻る。
【００８５】
ステップＳ１０６において、出力部２７は、ＴＳ記憶部２５に一時的に記憶されている全てのＴＳパケットを出力する。図５の例では、出力部２７は、ＴＳ記憶部２５に一時的に記憶されている所定数（例えば、６つ）のＴＳパケット「Ｘ-Ａ-１-１」乃至「Ｘ-Ａ-２-１」をバースト的に出力する。
【００８６】
第２に、図６及び図７を参照して、本発明の第１の実施形態に係るデジタル放送受信装置の復調回路２がＴＳパケットを出力する第２の動作について説明する。第２の動作では、復調回路２から出力されるＴＳパケットは、「ＰＩＤ＝Ｘ」を有するＴＳパケットを特定する「ＰＩＤ選別情報」、及び、「セクションヘッダ（テーブル識別子、或いは、テーブル識別子とテーブル識別拡張との組み合わせ）＝Ａ」を有するセクションを構成するＴＳパケットを特定する「セクション識別情報」によって選別されるものとする。
【００８７】
すなわち、ＣＰＵ１０が、ユーザの番組選択に係る入力処理に基づいて、ＴＳ選別情報記憶部２３に、ＴＳ選別情報として、「ＰＩＤ＝Ｘ」を有するＴＳパケットを特定する「ＰＩＤ選別情報」及び「セクションヘッダ＝Ａ」を有するセクションを構成するＴＳパケットを特定する「セクション識別情報」を記憶しているものとする。
【００８８】
ＴＳパケット選別部２２は、ステップＳ２０１において、ＯＦＤＭ復調部２１によって復調されたＴＳパケットを１つ取得し、ステップＳ２０２において、取得したＴＳパケットがＰＩＤ識別情報により特定されるＴＳパケットに合致する、すなわち、取得したＴＳパケットのＰＩＤが「Ｘ」であるか否かについて判定する。
【００８９】
図７の例では、ＯＦＤＭ復調部２１は、デジタル放送信号を復調することによってＴＳパケット「Ｘ-Ａ-１-１」乃至「Ｙ-Ａ-２-２」を順次出力している。
【００９０】
ステップＳ２０３において、ＴＳパケット選別部２２は、ＰＩＤ識別情報により特定されるＴＳパケットに合致すると判定したＴＳパケットが、ＤＳＭ-ＣＣセクションにおける先頭のＴＳパケットであるか否かについて判定する。判定結果が肯定的である場合、本動作はステップＳ２０４に進み、判定結果が否定的である場合、本動作はステップＳ２０６に進む。
【００９１】
具体的には、ＴＳパケット選別部２２は、ＴＳパケット内のパケットヘッダにおける「ペイロードユニット開始インジケータ」を参照して、上述のＴＳパケットが、ＤＳＭ-ＣＣセクションにおける先頭のＴＳパケットであるか否かについて判定する。
【００９２】
ステップＳ２０４において、ＴＳパケット選別部２２は、ＤＳＭ-ＣＣセクションの先頭であると判定されたＴＳパケットがセクション識別情報により特定されるＴＳパケットに合致する、すなわち、ＤＳＭ-ＣＣセクションの先頭であると判定されたＴＳパケットのＰＩＤは「Ｘ」であり、かつ、セクションヘッダが「Ａ」であるか否かについて判定する。合致すると判定された場合、本動作はステップＳ２０５に進み、合致しないと判定された場合、本動作はステップＳ２０１に戻る。
【００９３】
ステップＳ２０５において、ＴＳパケット選別部２２は、セクション取り込み中フラグをセットする。
【００９４】
ステップＳ２０６において、ＴＳパケット選別部２２は、セクション取り込み中フラグを参照して、ＤＳＭ-ＣＣセクションを取り組み中であるか否かについて、すなわち、ＤＳＭ-ＣＣセクションにおける先頭のＴＳパケットが既に取り込まれているか否かについて判定する。判定結果が肯定的である場合、本動作はステップＳ２０７に進み、判定結果が否定的である場合、本動作はステップＳ２０１に戻る。
【００９５】
ステップＳ２０７において、ＴＳパケット選別部２２は、該当するＴＳパケットをＴＳパケット記憶部２５に一時的に記憶する。
【００９６】
図７の例では、ＰＩＤ識別情報及びセクション選別情報に基づいて選別されたＴＳパケット、すなわち、「ＰＩＤ＝Ｘ」かつ「セクションヘッダ＝Ａ」であるＴＳパケット（例えば、「Ｘ-Ａ-１-１」及び「Ｘ-Ａ-２-１」等）が、ＴＳパケット記憶部２５に一時的に記憶されている。
【００９７】
ここで、ＴＳパケット選別部２２は、該当するＴＳパケットが、ＤＳＭ-ＣＣセクションの先頭のＴＳパケットでないと判定された場合、ＴＳパケット内のパケットヘッダにおける連続性指標を用いて、かかるＴＳパケットが、ＴＳパケット記憶部２５に記憶されているＴＳパケットに連続するパケットであるか否かについて判定し、連続しないと判定された場合、かかるＴＳパケットを廃棄する。
【００９８】
ステップＳ２０８において、出力部２７は、ＴＳパケット記憶部２５に記憶されているＴＳパケットによって１つのセクションが完成されるか否かについて判定する。判定結果が肯定的である場合、本動作はステップＳ２０９に進み、判定結果が否定的である場合、本動作はステップＳ２０１に戻る。
【００９９】
ステップＳ２０９において、出力部２７は、ＴＳパケット記憶部２５に記憶されているＴＳパケットによって１つのＤＳＭ-ＣＣセクションが完成されたと判定された場合に、ＴＳパケット記憶部２５に記憶されているＴＳパケットを出力する。ステップＳ２１０において、出力部２７は、セクション取り込み中フラグをクリアする。
【０１００】
図７の例では、出力部２７は、ＴＳパケット「Ｘ-Ａ-２-１」がＴＳパケット記憶部２５に記憶されたタイミングで、ＴＳパケット「Ｘ-Ａ-１-１」及び「Ｘ-Ａ-２-１」によって１つのＤＳＭ-ＣＣセクションが完成したため、かかるＴＳパケット「Ｘ-Ａ-１-１」及び「Ｘ-Ａ-２-１」を出力する。
【０１０１】
第３に、図８及び図９を参照して、本発明の第１の実施形態に係るデジタル放送受信装置の復調回路２がＴＳパケットを出力する第３の動作について説明する。第３の動作では、復調回路２から出力されるＴＳパケットは、「ＰＩＤ＝Ｘ」を有するＴＳパケットを特定する「ＰＩＤ選別情報」、及び、「セクションヘッダ（テーブル識別子、或いは、テーブル識別子とテーブル識別拡張との組み合わせ）＝Ａ」を有するセクションを構成するＴＳパケットを特定する「セクション識別情報」によって選別されるものとする。
【０１０２】
すなわち、ＣＰＵ１０が、ユーザの番組選択に係る入力処理に基づいて、ＴＳ選別情報記憶部２３に、ＴＳ選別情報として、「ＰＩＤ＝Ｘ」を有するＴＳパケットを特定する「ＰＩＤ選別情報」及び「セクションヘッダ＝Ａ」を有するセクションを構成するＴＳパケットを特定する「セクション識別情報」を記憶しているものとする。
【０１０３】
ＴＳパケット選別部２２は、ステップＳ３０１において、ＯＦＤＭ復調部２１によって復調されたＴＳパケットを１つ取得し、ステップＳ３０２において、取得したＴＳパケットがＰＩＤ識別情報により特定されるＴＳパケットに合致する、すなわち、取得したＴＳパケットのＰＩＤが「Ｘ」であるか否かについて判定する。
【０１０４】
図９の例では、ＯＦＤＭ復調部２１は、デジタル放送信号を復調することによってＴＳパケット「Ｘ-Ａ-１-１」乃至「Ｙ-Ａ-２-２」を順次出力している。
【０１０５】
ステップＳ３０３において、ＴＳパケット選別部２２は、ＰＩＤ識別情報により特定されるＴＳパケットに合致すると判定したＴＳパケットが、ＤＳＭ-ＣＣセクションにおける先頭のＴＳパケットであるか否かについて判定する。判定結果が肯定的である場合、本動作はステップＳ３０４に進み、判定結果が否定的である場合、本動作はステップＳ３０６に進む。
【０１０６】
具体的には、ＴＳパケット選別部２２は、ＴＳパケット内のパケットヘッダにおける「ペイロードユニット開始インジケータ」を参照して、上述のＴＳパケットが、ＤＳＭ-ＣＣセクションにおける先頭のＴＳパケットであるか否かについて判定する。
【０１０７】
ステップＳ３０４において、ＴＳパケット選別部２２は、ＤＳＭ-ＣＣセクションの先頭であると判定されたＴＳパケットがセクション識別情報により特定されるＴＳパケットに合致する、すなわち、ＤＳＭ-ＣＣセクションの先頭であると判定されたＴＳパケットのＰＩＤは「Ｘ」であり、かつ、セクションヘッダが「Ａ」であるか否かについて判定する。合致すると判定された場合、本動作はステップＳ３０５に進み、合致しないと判定された場合、本動作はステップＳ３０１に戻る。
【０１０８】
ステップＳ３０５において、ＴＳパケット選別部２２は、セクション取り込み中フラグをセットする。
【０１０９】
ステップＳ３０６において、ＴＳパケット選別部２２は、セクション取り込み中フラグを参照して、ＤＳＭ-ＣＣセクションを取り組み中であるか否かについて、すなわち、ＤＳＭ-ＣＣセクションにおける先頭のＴＳパケットが既に取り込まれているか否かについて判定する。判定結果が肯定的である場合、本動作はステップＳ３０７に進み、判定結果が否定的である場合、本動作はステップＳ３０１に戻る。
【０１１０】
ステップＳ３０７において、ＴＳパケット選別部２２は、該当するＴＳパケットをＴＳパケット記憶部２５に一時的に記憶する。
【０１１１】
図９の例では、ＰＩＤ識別情報及びセクション選別情報に基づいて選別されたＴＳパケット、すなわち、「ＰＩＤ＝Ｘ」かつ「セクションヘッダ＝Ａ」であるＴＳパケット（例えば、「Ｘ-Ａ-１-１」及び「Ｘ-Ａ-２-１」等）が、ＴＳパケット記憶部２５に一時的に記憶されている。
【０１１２】
ここで、ＴＳパケット選別部２２は、該当するＴＳパケットが、ＤＳＭ-ＣＣセクションの先頭のＴＳパケットでないと判定された場合、ＴＳパケット内のパケットヘッダにおける連続性指標を用いて、かかるＴＳパケットが、ＴＳパケット記憶部２５に記憶されているＴＳパケットに連続するパケットであるか否かについて判定し、連続しないと判定された場合、かかるＴＳパケットを廃棄する。
【０１１３】
ステップＳ３０８において、出力部２７は、ＴＳパケット記憶部２５に記憶されているＴＳパケットによって１つのセクションが完成されるか否かについて判定する。判定結果が肯定的である場合、本動作はステップＳ３０９に進み、判定結果が否定的である場合、本動作はステップＳ３０１に戻る。
【０１１４】
ステップＳ３０９において、出力部２７は、ＴＳパケット記憶部２５に記憶されたＴＳパケットにより構成されるＤＳＭ-ＣＣセクションのバージョン情報が、バージョン情報記憶部２６に記憶されているバージョン情報から更新されたか否かについて判定する。
【０１１５】
ここで、バージョン情報は、ＤＳＭ-ＣＣセクションにおけるセクションヘッダ内のバージョン番号によって規定されていてもよいし、ＤＳＭ-ＣＣセクションの末尾に含まれているＣＲＣ符号であってもよい。なお、バージョン情報記憶部２６に記憶されているバージョン情報の初期値は「０」であるものとする。
【０１１６】
更新されたと判定された場合、本動作はステップＳ３１０に進み、更新されていないと判定された場合、本動作はステップＳ３１２に進む。
【０１１７】
出力部２７は、ステップＳ３１０において、ＴＳパケット記憶部２５に記憶されているＴＳパケットによって１つのＤＳＭ-ＣＣセクションが完成されたと判定された場合で、かつ、バージョン情報の更新があった場合に、ＴＳパケット記憶部２５に記憶されているＴＳパケットを出力し、ステップＳ３１１において、出力したＴＳパケットにより構成されるＤＳＭ-ＣＣセクションのバージョン情報をバージョン情報記憶部２６に記憶する。
【０１１８】
すなわち、出力部２７は、バージョン情報記憶部２６に記憶されているバージョン情報と異なるバージョン情報のセクションを構成するＴＳパケットがＴＳパケット記憶部２５に記憶された場合には、当該ＴＳパケットを即座に出力する。
【０１１９】
図９の例では、出力部２７は、ＴＳパケット「Ｘ-Ａ-２-１」がＴＳパケット記憶部２５に記憶されたタイミング（１）で、ＴＳパケット「Ｘ-Ａ-１-１」及び「Ｘ-Ａ-２-１」によって１つのＤＳＭ-ＣＣセクションが完成し、バージョン情報の更新が有った（「０」→「１」）ため、かかるＴＳパケット「Ｘ-Ａ-１-１」及び「Ｘ-Ａ-２-１」を出力する。
【０１２０】
また、出力部２７は、ＴＳパケット「Ｘ-Ａ-２-２」がＴＳパケット記憶部２５に記憶されたタイミング（３）で、ＴＳパケット「Ｘ-Ａ-１-２」及び「Ｘ-Ａ-２-２」によって１つのＤＳＭ-ＣＣセクションが完成し、バージョン情報の更新が有った（「１」→「２」）ため、かかるＴＳパケット「Ｘ-Ａ-１-２」及び「Ｘ-Ａ-２-２」を出力する。
【０１２１】
ステップＳ３１２において、ＴＳパケット記憶部２５に記憶されているＴＳパケットによって１つのＤＳＭ-ＣＣセクションが完成されたと判定された場合であっても、バージョン情報の更新がなかった場合には、ＴＳパケット記憶部２５に記憶されているＴＳパケットを削除する。
【０１２２】
すなわち、出力部２７は、ＴＳパケット記憶部２５に記憶されているＴＳパケットによって１つのＤＳＭ-ＣＣセクションが完成されたと判定された場合であっても、バージョン情報記憶部２６に記憶されているバージョン情報と同一のバージョン情報のセクションを構成するＴＳパケットについては出力しない。
【０１２３】
図９の例では、出力部２７は、ＴＳパケット「Ｘ-Ａ-２-１」がＴＳパケット記憶部２５に記憶されたタイミング（２）では、ＴＳパケット「Ｘ-Ａ-１-１」及び「Ｘ-Ａ-２-１」によって１つのＤＳＭ-ＣＣセクションが完成したにもかかわらず、バージョン情報の更新がなかった（「１」のままである）ため、かかるＴＳパケット「Ｘ-Ａ-１-１」及び「Ｘ-Ａ-２-１」を出力することなく削除する。
【０１２４】
ステップＳ３１３において、出力部２７は、セクション取り込み中フラグをクリアする。
【０１２５】
（本実施形態に係るデジタル放送受信装置の作用・効果）
本実施形態に係るデジタル放送受信装置Ａによれば、ＴＳパケット選別部２２により選別されたＴＳパケットが、常時ではなく所定のタイミングで出力されるように構成されているので、所望のコンテンツを出力する回路Ｂの負担を低減することができ、デジタル放送受信装置Ａにおける消費電力を下げることができる。
【０１２６】
また、本実施形態に係るデジタル放送受信装置Ａによれば、出力部２７が、ＴＳパケット選別部２２により選別されたＴＳパケットをバースト的に出力するため、リアルタイムで、すなわち、短い間隔で次々とＴＳパケットが出力されることにより、所望のコンテンツを出力する回路Ｂの負担が増加するという事態を回避することができる。
【０１２７】
また、本実施形態に係るデジタル放送受信装置Ａによれば、復調回路２からＴＳパケットが出力されない期間では、所望のコンテンツを出力する回路Ｂ及びＣＰＵ９が省電力モードで動作するため、デジタル放送受信装置Ａの消費電力を下げることができる。
【０１２８】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図面の簡単な説明】
【０１２９】
【図１】本発明の第１の実施形態に係るデジタル放送受信装置の全体構成図である。
【図２】本発明の第１の実施形態に係るデジタル放送受信装置における復調回路の機能ブロック図である。
【図３】本発明の第１の実施形態に係るデジタル放送受信装置において受信されるＴＳパケット及びＤＳＭ-ＣＣセクションの詳細構造を示す図である。
【図４】本発明の第１の実施形態に係るデジタル放送受信装置における復調回路の動作を示すフローチャートである。
【図５】本発明の第１の実施形態に係るデジタル放送受信装置における復調回路の動作を説明するための図である。
【図６】本発明の第１の実施形態に係るデジタル放送受信装置における復調回路の動作を示すフローチャートである。
【図７】本発明の第１の実施形態に係るデジタル放送受信装置における復調回路の動作を説明するための図である。
【図８】本発明の第１の実施形態に係るデジタル放送受信装置における復調回路の動作を示すフローチャートである。
【図９】本発明の第１の実施形態に係るデジタル放送受信装置における復調回路の動作を説明するための図である。
【図１０】地上波デジタル放送サービスにおける伝送モデルの一例を示す図である。
【図１１】ＤＳＭ-ＣＣデータカルーセル方式によって送信されるデータ構造を示す図である。
【符号の説明】
【０１３０】
Ａ…デジタル放送受信装置
１…チューナ
２…復号回路
３…ＴＳデコード処理部
４…音声デコード処理部
５…映像デコード処理部
６…提示処理部
７…ブラウザ要求処理部
８…ブラウザ
９…ＲＡＭ
Ｂ…回路
１０…ＣＰＵ
２１…ＯＦＤＭ復調部
２２…ＴＳパケット選別部
２３…ＴＳ選別情報記憶部
２４…ＴＳ出力モード切替部
２５…ＴＳパケット記憶部
２６…バージョン情報記憶部
２７…出力部
【図１】
2007266778.tif 000003
【図２】
2007266778.tif 000004
【図３】
2007266778.tif 000005
【図４】
2007266778.tif 000006
【図５】
2007266778.tif 000007
【図６】
2007266778.tif 000008
【図７】
2007266778.tif 000009
【図８】
2007266778.tif 000010
【図９】
2007266778.tif 000011
【図１０】
2007266778.tif 000012
【図１１】
2007266778.tif 000013